(57)【特許請求の範囲】
【請求項１】
縦方向に延びる第１基体と、縦方向に延び、前記第１基体に対して横方向に間隔を置かれて配置された第２基体と、前記第１基体の上方部分から前記第２基体に向かって横方向に延び、先端が前記第２基体の上部に取り付けられたアーム部材と、前記第２基体の下方部分から前記第１基体に向かって横方向に所定長延び、先端面が垂直面でコラム側面が当接するコラム当接面となっているコラム当接部材と、前記第１基体の下方部分に設けられ、前記第１基体と第２基体の間に配置されたコラムの開先部が設けられた上方部分を、前記コラム当接部材の当接面に当接させ、締め付ける締め付け手段と、前記第２基体の上方部分に設けられ、先端部に、裏当て金を縦状態で載置することができる裏当て金載置部を備え、裏当て金をこの裏当て金載置部に載置した状態で、前記第１基体と第２基体の間に配置された前記コラムの開先部の方向に移動させることができる裏当て金横方向移動手段とを備え、前記第１基体の上部には、前記第２基体側に向かって突出し、その先端面が前記コラム当接部材のコラム当接面と面一の裏当て金当接面が形成された裏当て金当接部が設けられており、この裏当て金当接面が設けられた前記第１基体の部分の側面には、設けられるルートギャップの幅を決定するための縦方向の目盛りが表されており、前記裏当て金横方向移動手段は、前記第２基体に沿って上下動できるようになっており、前記アーム部材には、前記裏当て金を載置した状態の裏当て金横方向移動手段を下方に移動させ、ルートギャップの幅を調節する裏当て金縦方向移動手段が設けられていることを特徴とする裏当て金取付用クランプ装置。
【請求項２】
前記裏当て金横方向移動手段はバネ手段により所定高さに支持されており、前記裏当て金縦方向移動手段は前記バネ手段の力に抗して前記裏当て金横方向移動手段を下方に押圧する請求項１の裏当て金取付用クランプ装置。
【請求項３】
前記裏当て金縦方向移動手段は親ネジ機構のものであり、親ネジの下端が前記裏当て金横方向移動手段に接触して、該裏当て金横方向移動手段ひいては該裏当て金横方向移動手段に載置された裏当て金を下方に押圧する請求項１の裏当て金取付用クランプ装置。
【請求項４】
１つの裏当て金をコラムに取り付ける際に複数個用いられる請求項１〜３のいずれかの裏当て金取付用クランプ装置。
【請求項５】
前記裏当て金当接面が設けられた前記第１基体の部分の下面が水平面となっており、この水平面が前記目盛りのゼロ位置である請求項１〜４のいずれかの裏当て金取付用クランプ装置。
【発明の詳細な説明】
【技術分野】
【０００１】
本発明は、裏当て金取付用クランプ装置に関し、更に詳細には、角コラムの突き合わせ溶接のための、角コラムの内寸に合わせて曲げられた裏当て金を角コラムに取り付ける際に用いられる裏当て金取付用クランプ装置に関するものである。
【背景技術】
【０００２】
鉄骨建築の柱によく使用される角コラムは、梁との接合方法として角コラムを鋼板（ダイヤフラムと呼ばれる）に溶接接合し、そのダイヤフラム鋼板に梁を溶接接合する、いわゆる通しダイヤフラム接合形式と呼ばれる方法が多用される。この接合形式を採用する場合、柱である角コラムとダイヤフラム鋼板の溶接は一般に突き合わせ溶接が用いられ、溶接に際して裏当て金が用いられる。角コラムの４つの角部はある曲率をもった断面形状をなしており、このため裏当て金もその曲率に沿った形状のものが用いられる。
この時、角コラムとダイヤフラム鋼板の間に溶接ルートギャップを確保している。
【０００３】
ここでルートギャップとは、溶接溶込みにより溶接強度や耐久性を高めるために、溶接部材間に設けられる所定幅の溶接用間隙のことである。ルートギャップは、当接する溶接部材間での溶接溶け込みを実現するのに適した数ミリメートルの幅をとって設けられる。
【０００４】
従前は、溶接作業に先立って、シャコ万力等の治具を用いて裏当て金を溶接部材に仮組み立てをし、それからスケールを当てながらルートギャップを計測し、適切なルートギャップ長に調整する手作業工程が必要であった。
【０００５】
そこで近年では技術改良がされ、裏当て金の外面に複数の突起部または突起條をあらかじめ設けることで、所望のルートギャップを簡単に確保できる裏当て金が提供されている。
【０００６】
例えば、実開平１−１７２４９３号公報に記載の角型コラム溶接用突起付裏当て金は、Ｌ字形をした裏当て金の外周側面に沿って工具を押し当てて窪みを形成し、窪みの体積分を盛り上げて突起を形成したものである。
【０００７】
しかしながら、ルートギャップを確保するために、前記の様な突起が設けられた裏当て金を用いる場合には、角コラムの開先部が少しでも斜めになっていると、裏当て金まで斜めに取り付けられ、角コラムを次々に継ぎ足していくと、かなり曲がった柱になってしまうという問題があった。
【先行技術文献】
【特許文献】
【０００８】
【特許文献１】実開平１−１７２４９３号
【発明の概要】
【発明が解決しようとする課題】
【０００９】
そこで本発明は、裏当て金を角コラムに正確に取り付けることのできる裏当て金取付用クランプ装置を提供する。
【課題を解決するための手段】
【００１０】
上記課題は、下記（１）〜（５）の構成の本発明の裏当て金取付用クランプ装置によって解消される。
（１）
縦方向に延びる第１基体と、縦方向に延び、前記第１基体に対して横方向に間隔を置かれて配置された第２基体と、前記第１基体の上方部分から前記第２基体に向かって横方向に延び、先端が前記第２基体の上部に取り付けられたアーム部材と、前記第２基体の下方部分から前記第１基体に向かって横方向に所定長延び、先端面が垂直面でコラム側面が当接するコラム当接面となっているコラム当接部材と、前記第１基体の下方部分に設けられ、前記第１基体と第２基体の間に配置されたコラムの開先部が設けられた上方部分を、前記コラム当接部材のコラム当接面に当接させ、締め付ける締め付け手段と、前記第２基体の上方部分に設けられ、先端部に、裏当て金を縦状態で載置することができる裏当て金載置部を備え、裏当て金をこの裏当て金載置部に載置した状態で、前記第１基体と第２基体の間に配置された前記コラムの開先部の方向に移動させることができる裏当て金横方向移動手段とを備え、前記第１基体の上部には、前記第２基体側に向かって突出し、その先端面が前記コラム当接部材のコラム当接面と面一の裏当て金当接面が形成された裏当て金当接部が設けられており、この裏当て金当接面が設けられた前記第１基体の部分の側面には、設けられるルートギャップの幅を決定するための縦方向の目盛りが表されており、前記裏当て金横方向移動手段は、前記第２基体に沿って上下動できるようになっており、前記アーム部材には、前記裏当て金を載置した状態の裏当て金横方向移動手段を下方に移動させ、ルートギャップの幅を調節する裏当て金縦方向移動手段が設けられていることを特徴とする裏当て金取付用クランプ装置。
（２）
前記裏当て金横方向移動手段はバネ手段により所定高さに支持されており、前記裏当て金縦方向移動手段は前記バネ手段の力に抗して前記裏当て金横方向移動手段を下方に押圧する前記（１）の裏当て金取付用クランプ装置。
（３）
前記裏当て金縦方向移動手段は親ネジ機構のものであり、親ネジの下端が前記裏当て金横方向移動手段に接触して、該裏当て金横方向移動手段ひいては該裏当て金横方向移動手段に載置された裏当て金を下方に押圧する前記（１）の裏当て金取付用クランプ装置。
（４）
１つの裏当て金をコラムに取り付ける際に複数個用いられる前記（１）〜（３）のいずれかの裏当て金取付用クランプ装置。
（５）
前記裏当て金当接面が設けられた前記第１基体の部分の下面が水平面となっており、この水平面が前記目盛りのゼロ位置である前記（１）〜（４）のいずれかの裏当て金取付用クランプ装置。
【発明の効果】
【００１１】
本発明の裏当て金取付用クランプ装置においては、前記した裏当て金縦方向移動手段により裏当て金を載置した状態の裏当て金横方向移動手段を下方に移動させ、ルートギャップの幅を正確に調節することができるとともに、角コラム端部の開先部が斜めになっていたとしても、裏当て金を正確に水平に配置することができる。したがって、角コラムを次々と継ぎ足していっても、曲がりのない、正確に垂直な柱を立てることができる。
【図面の簡単な説明】
【００１２】
【図１】図１は、本発明の実施の形態による裏当て金取付用クランプ装置の斜視図である。
【図２】図２は、図１の裏当て金取付用クランプ装置によって、裏当て金を角コラムに取り付けた状態を示す図である。
【図３】図３は、コの字状裏当て金を角コラムに取り付ける際に各３台の裏当て金取付用クランプ装置を用いた場合のそれらの配置図である。
【発明を実施するための形態】
【００１３】
以下、添付図面を参照しつつ、本発明の実施の態様による裏当て金取付用クランプ装置について説明する。
図１は、本発明の実施の態様による裏当て金取付用クランプ装置１０（以下、クランプ装置と称する）の斜視図である。
【００１４】
前記クランプ装置１０は、縦方向に延びる第１基体１２と、縦方向に延び、前記第１基体１２に対して横方向に間隔を置かれて配置された第２基体５０とを備えている。
【００１５】
前記第１基体１２の上方部分からは、前記第２基体５０に向かって横方向に延び、先端が前記第２基体５０の上部に取り付けられたアーム部材１４が設けられている。一方、前記第２基体５０の下方部分からは、前記第１基体１２に向かって横方向に所定長延び、先端面が垂直面でコラム側面が当接する垂直なコラム当接面５２ａとなっているコラム当接部材５２が設けられている。
【００１６】
前記第１基体１２の下方部分には、前記第１基体１２と第２基体５０の間に配置された角コラムＣの開先部が設けられた上方部分Ｃ１を、前記コラム当接部材５２のコラム当接面５２ａに当接させ、締め付ける締め付け手段１６が設けられている。この締め付け手段１６は、親ネジ部材１８とその先端に取り付けられた当て部材２０を備えている。
【００１７】
前記第２基体５０の上方部分には、裏当て金横方向移動手段５４が設けられている。この裏当て金横方向移動手段５４は、親ネジ部材５６と、この親ネジ部材５６の先端部に設けられ、裏当て金Ｂを縦状態で載置することができる裏当て金載置部５８を備え、裏当て金をこの裏当て金載置部５８に載置した状態で、前記第１基体１２と第２基体５０の間に配置された前記角コラムＣの開先部の方向に移動させることができるようになっている。
【００１８】
前記第１基体１２の前記第２基体５０との対向面の上部には、該第２基体５０側に向かって突出した裏当て金当接部２２が設けられており、この裏当て金当接部２２の先端面は、前記コラム当接部材５２のコラム当接面５２ａと面一で垂直な裏当て金当接面２２ａとなっている。この裏当て金当接面２２ａが設けられた前記第１基体１２の部分、すなわち前記裏当て金当接部２２の側面２２ｂには、設けられるルートギャップの幅を決定するための縦方向（垂直方向）の目盛りＭが表されている。前記裏当て金当接部２２の下面は、開先角度と同じ角度の斜面となっており、この斜面は、角コラムＣの開先が設けられた端部の当接面２２ｃとなっている。この当接面２２ｃは、水平面としてもよい。水平面とした場合は、開先の形状（角度等）が異なっていたとしても対応できる。前記裏当て金当接部２２の下面の前記第２基体５０に最も近い部分（端部）が前記目盛りＭのゼロ位置となっている。
【００１９】
裏当て金横方向移動手段５４は、裏当て金Ｂをこの裏当て金載置部５８に載置した状態で、前記第１基体１２と第２基体５０の間に配置された前記角コラムＣの開先部の方向に移動させることができる。また、前記裏当て金横方向移動手段５４は、前記第２基体５０に沿って上下動できるようになっており、第２基体５０内に配置されたバネ（図示せず）により上方に付勢されて、所定高さに支持されている。
【００２０】
前記アーム部材１４には、裏当て金縦方向移動手段６０が設けられており、この裏当て金縦方向移動手段６０は前記裏当て金Ｂを載置した状態の裏当て金横方向移動手段５４を前記バネの力に抗して下方に押圧し、ルートギャップの幅を調節する機能を行う。作業者は、この裏当て金縦方向移動手段６０を操作して、前記目盛りＭを見ながら、前記裏当て金Ｂを載置した状態の裏当て金横方向移動手段５４を前記バネの力に抗して下方に押圧し、ルートギャップの幅を調節する。
【００２１】
前記裏当て金縦方向移動手段６０は、親ネジ機構のものであり、親ネジ６２の下端もしくはこの下端に取り付けられた押圧部材６４が前記裏当て金横方向移動手段５４に接触して、該裏当て金横方向移動手段５４ひいては該裏当て金横方向移動手段に載置された裏当て金Ｂを下方に押圧する。
【００２２】
通常、１つの裏当て金Ｂを角コラムＣに取り付ける際には、裏当て金取付用クランプ装置１０は、図３に示したように複数個用いて取り付けられる。
【符号の説明】
【００２３】
１０：裏当て金取付用クランプ装置
１２：第１基体
１４：アーム部材
１６：締め付け手段
１８：親ネジ部材
２０：当て部材
２２：裏当て金当接部
２２ａ：裏当て金当接面
２２ｂ：側面
２２ｃ：当接面
５０：第２基体
５２：コラム当接部材
５２ａ：コラム当接面
５４：裏当て金横方向移動手段
５６：親ネジ部材
５８：裏当て金載置部
６０：裏当て金縦方向移動手段
６２：親ネジ部材
６４：押圧部材
Ｂ：裏当て金
Ｃ：角コラム
【図１】
0006590315.tif 000002
【図２】
0006590315.tif 000003
【図３】
0006590315.tif 000004